Podtech/llm-jp-corpus-v4-ja_patent huggingface dataset:
(57)【要約】      （修正有）【課題】従来の一方履き，スリッパ等は脱いで、履く時に向き方向が反対の不便を解決の両ばきスリッパを提供する。【解決手段】本体底板１、と、上部の足カガト安定板２の中間に下駄式指間止め４を睡直に上と下に固定した、下駄式指間止め４に指間を挿入して行進、脱ぎその後の行進は反対側の下駄式指間止め４、に指間に挿入して行進、向きの反対無く、履き行働出来ます。【選択図】図６
2017094029.tif 000002
【特許請求の範囲】
【請求項１】
本体底板（１）と足カガト安定板（２）の中間に上下固定して、垂直にした下駄式指間止め（４）との構成
【請求項２】
足カガト安定板（２）の構成は上表面は足カガトを乗せて足の安定を保ち下表面は下駄式指間止め（４）の上部に強化固定してその固定点の両翼は下駄、草履の鼻尾の役を担う、足カガト安定板（２）の構成。
【発明の詳細な説明】
【技術分野】
【０００１】従来の履き物  スリッパは脱いで、次に履く時に位置、向きが反対で一々向きを直す手数を省く為、本案  両ばき、履物  スリッパです。
【背景技術】
【０００２】従来のスリッパ等は一方履きですので脱いで次に履く時に向きを変える手数を省き尚、時には一方のスリッパが反対向きに、多人数の時は向きに気を使って揃えるのに手間が省けます。
【先行技術文献】
【０００３】
【技術文献１】
実開平７−１３２０２号公報
【技術文献２】
意匠登録，第１２００２９０号（Ｄ１２００２９０）
【発明の概要】
【発明が解決しようとする課題】
【０００４】従来の一方履きスリッパ等は脱いで，履く時は向きが反対で、腰の痛い老人らは痛い腰を、かがめて向きを直しての不便を解消の案です。
【課題を解決するための手段】
【０００５】本案の  両ばきスリッパの構成は［図６］に図示の  本体底板（１）に設けた下駄式指間止め（４）を本体底板（１）と  足カガト安定板（２）の中間に上下に  下駄式指間止め（４）を睡直に指間に入っても強化に固定し、尚、下駄式指間止め（４）の上に固定の足カガト安定板（２）に足先入り口（７）に足先を入れると同時に足カガトが  足カガト安定板（２）の上に降りて、体重が下駄式指間止め（４）に９５％は掛かると致して、下駄式指間止め（４）素材はゴム系ら主に、上からの体重９５％の度重なる折れ折れ作用の強化を実行します、、尚  足先  足の両側面  足の後部カガト、等の安定に  カガト滑り止め（３）足先止め板（６）足側安定板（５）を図示の様に設けました。
【発明の効果】
【０００６】本案の実現は腰の痛い、老人、乱暴な子供等には履き脱ぎの並び整頓も容易に、脱ぎ履きも右左２ツをそろえて脱げば，履く時は眼で確認で寸時に履き行働出来ます。
【図面の簡単な説明】
【０００７】
【図１】上からの上面図
【図２】側面図
【図３】足先入口（７）から見た正面図
【図４】足先入口（７）から  見た正面図
【図５】足先止め板（６）から見た正面図
【図６】斜視図（上面図）
【発明を実施するための形態】
【０００８】本案  両ばきスリッパ、の構成は両端に足カガト安定板（２）と本体底板（Ｉ）の中間に下駄式指間止め（４）を睡直に強化に固定して、足先入り口（７）に足先を深く入れて睡直固定した下駄式指間止め（４）に指間に深く入れ、入れた足の安定に足カガト安定板（２）に入れた足のカガトを乗せて、乗せたあしの安定に設けた、カガト滑り止め（３）  足先止め板（６）足側安定板（５）を本体底板（Ｉ）に設けて従来の一方ばきスリッパとの便利差を実感を得ます。
【符号の説明】
【０００９】１  本体底板                      ５  足側安定板
２  足カガト安定板                ６  足先止め
３  カガト滑り止め                ７  足先入り口
４  下駄式指間止め
【図１】
2017094029.tif 000003
【図２】
2017094029.tif 000004
【図３】
2017094029.tif 000005
【図４】
2017094029.tif 000006
【図５】
2017094029.tif 000007
【図６】
2017094029.tif 000008
(57)【要約】【課題】  床下点検口を利用し、ボールが平面を転がり、ホールカップに転がり落ちるという実際のグリーンに近い環境で練習ができるパター練習用具を提供する。【解決手段】床下点検口（４）のふた板（２）に円形の穴と、  ホールカップ（３）を設け、同じ大きさの穴を設けたマット（１）を重ねたパター練習用具を特徴とする。【選択図】図１
2017094023.tif 000002
【特許請求の範囲】
【請求項１】
床下点検口（４）のふた板（２）に円形の穴とホールカップ（３）を設け、同じ大きさの穴を設けたマット（１）を重ねたパター練習用具。
【発明の詳細な説明】
【技術分野】
【０００１】この発明は床下点検口のふた部分にホールカップとパターマットをつけたパター練習用具に関するものである。
【背景技術】
【０００２】従来のパター練習用マットはホールカップの手前で登り坂になっている。
【先行技術文献】
【特許文献】
【０００３】
【特許文献１】  特開２００５−３１９２３７号公報
【発明の概要】
【発明が解決しようとする課題】
【０００４】  従来のパター練習用マットはホールカップの手前で登り坂になっている。実際のグリーンでカップの手前で、こんな急激に登っていることはない。本発明は実際のグリーン同様に平面をボールが転がっていき、平面に穴が開いているホールカップにボールがポコンと入るという、実際のグリーンに近い状況のパター練習用具である。
【課題を解決するための手段】
【０００５】    一般的な住宅用床下点検口（４）のふた板（２）の中央部分に、直径１０．８ｍｍの円形の穴を開ける。ホールカップ（３）を穴に固定する。直径１０．８ｍｍの円形の穴の開いたパターマット（１）を穴の位置があうように重ねる。
本発明は、以上の構成よりなるパター練習用具である
【発明の効果】
【０００６】  平面上をボールが転がり、開いているホールカップに転がり落ちるという実際のグリーンに近い環境でパター練習ができる。床下点検口としての機能も備えている。
【図面の簡単な説明】
【０００７】
【図１】  本製品の斜視図である。
【図２】  本製品の断面図である。
【発明を実施するための形態】
【０００８】  以下、本発明を実施するための形態について説明する。
床下点検口（４）のふた板（２）の中央に、直径１０．８ｍｍの円形の穴を開ける。ホールカップ（３）を穴に固定する。これを使用するときは直径１０．８ｍｍの円形の穴の開いたパターマット（１）をふた板の穴の位置があうように重ねればよい。本発明は以上のような構造である。
【符号の説明】
【０００９】１        パターマット
２        床下点検口ふた板
３        ホールカップ
４        床下点検口
【図１】
2017094023.tif 000003
【図２】
2017094023.tif 000004
(57)【要約】【課題】耳栓は耳につけると音を遮断する為に、耳栓をしたまま寝てしまうと、例えば目覚まし時計の音なども遮断してしまい、定刻に起きれなくなるリスクが生じた。【解決手段】耳栓にタイマーの機能をつける。【特許請求の範囲】
【請求項１】
タイマーの機能が付いており、時間になると外れて、音を遮断する機能が失われる耳栓。
【請求項２】
ひもを取り付け、時間が来るとリール（巻取器）で巻き取る請求項１記載の耳栓。
【発明の詳細な説明】
【技術分野】
【０００１】  この発明は、耳につけて音を遮断する耳栓の機能に関する。
【背景技術】
【０００２】  従来の耳栓の機能は、音を単に遮断するものであった。
【発明の概要】
【発明が解決しようとする課題】
【０００３】  しかしながら、以上の技術によれば、耳栓をしたまま寝てしまうと、目覚ましの音も遮断してしまい決まった時刻に起きれなくなり、耳栓をすることでリスクが生じた。
そこで、この発明は、耳栓をしながら寝ても、定刻に起きれる機能を持つことを特徴とする耳栓である。
【課題を解決するための手段】
【０００４】  以上の課題を解決するために、第一発明はタイマーの機能が付いており、時間になると外れて、音を遮断する機能が失われる耳栓である。
また、第二発明は、ひもを取り付け、時間が来るとリール（巻取器）で巻き取る、タイマーの機能が付いた耳栓である。
【発明の効果】
【０００５】  第一発明、及び第二発明によれば、耳栓にタイマーの機能が付いたので、眠る場合に耳栓をつけても定刻に耳栓を耳から外す事が可能になり、目覚まし時計を有効にすることが可能である。
(57)【要約】【課題】  本発明は、手のひらでにぎりやすく軽い力で挟持部を開くことができる、洗濯ばさみを提供することを課題とする。【解決手段】    一対の把持部と、一対の挟持部を有する洗濯ばさみにおいて、次の構成を具備することを特徴とする洗濯ばさみを提供することで、課題を解決した。（Ａ）１対の把持部において、一方の把持部が、他方の把持部より縦方向に長い構成であること。（Ｂ）前記（Ａ）の長い方の把持部において、把持部の先端部から挟持部の先端部までの長さが７５ｍｍ以上の構成であること。（Ｃ）前記（Ａ）の短い方の把持部において、把持部の先端部から挟持部の先端部までの長さが、前記（Ｂ）の長い方の把持部の先端部から挟持部の先端部までの長さより、１０ｍｍ以上短い構成であること。【選択図】図１
2017094021.tif 000002
【特許請求の範囲】
【請求項１】
一対の把持部と、一対の挟持部を有する洗濯ばさみにおいて、次の構成を具備することを特徴とする洗濯ばさみ。
（Ａ）１対の把持部において、一方の把持部が、他方の把持部より縦方向に長い構成であること。
（Ｂ）前記（Ａ）の長い方の把持部において、把持部の先端部から挟持部の先端部までの長さが７５ｍｍ以上の構成であること。
（Ｃ）前記（Ａ）の短い方の把持部において、把持部の先端部から挟持部の先端部までの長さが、前記（Ｂ）の長い方の把持部の先端部から挟持部の先端部までの長さより、１０ｍｍ以上短い構成であること。
【発明の詳細な説明】
【技術分野】
【０００１】  本発明は、洗濯物を干す際に使用する洗濯ばさみに関する。
【背景技術】
【０００２】  従来、洗濯ばさみは、指で把持部をつまんで挟持部を開くことから、指に力が要る問題があった。
【先行技術文献】
【特許文献】
【０００３】
【特許文献１】  特開２００５−３４２５０１号  公報
【発明の概要】
【発明が解決しようとする課題】
【０００４】  本発明は、手のひらで握りやすく軽い力で挟持部を開くことができる、洗濯ばさみを提供することを目的とする。
【課題を解決するための手段】
【０００５】  上記課題を解決するための手段として、本発明に係る洗濯ばさみは、一対の把持部と、一対の挟持部を有する洗濯ばさみにおいて、次の構成を具備することを特徴とする。
（Ａ）１対の把持部において、一方の把持部が、他方の把持部より縦方向に長い構成であること。
（Ｂ）前記（Ａ）の長い方の把持部において、把持部の先端部から挟持部の先端部までの長さが７５ｍｍ以上の構成であること。
（Ｃ）前記（Ａ）の短い方の把持部において、把持部の先端部から挟持部の先端部までの長さが、前記（Ｂ）の長い方の把持部の先端部から挟持部の先端部までの長さより、１０ｍｍ以上短い構成であること。【０００６】  上記課題解決手段による作用は次の通りである。すなわち、一方の把持部が他方の把持部より縦方向に長く、長い方の把持部の先端部から挟持部の先端部までの長さを７５ｍｍ以上の構成とするとともに、短い方の把持部の先端部から挟持部の先端部までの長さを前記（Ｃ）の構成とすることで、手のひらで握りやすく軽い力で挟持部を開くことができる。
【発明の効果】
【０００７】  上述したように、本発明の洗濯ばさみは、手のひらで握りやすく軽い力で挟持部を開くことができる、洗濯ばさみを提供することができる。
【図面の簡単な説明】
【０００８】
【図１】本発明の実施形態を示す洗濯ばさみの一例の斜視図
【図２】前記洗濯ばさみを手のひらで握った状態の一例の斜視図
【図３】前記洗濯ばさみをハンガーに吊下げた状態の一例の斜視図
【発明を実施するための形態】
【０００９】  以下、本発明の実施の形態を図１〜図３に基づいて説明する。
【００１０】    図１においては、一対の把持部と、一対の挟持部を有する洗濯ばさみにおいて、次の構成を具備することを特徴とする洗濯ばさみの一例を図示している。
（Ａ）１対の把持部において、一方の把持部２１が、他方の把持部３１より縦方向に長い構成であること。
（Ｂ）前記（Ａ）の長い方の把持部２１において、把持部の先端部２２から挟持部の先端部２３までの長さが７５ｍｍ以上の構成であること。
（Ｃ）前記（Ａ）の短い方の把持部３１において、把持部の先端部３２から挟持部の先端部３３までの長さが、前記（Ｂ）の長い方の把持部の先端部から挟持部の先端部までの長さより、１０ｍｍ以上短い構成であること。
【００１１】  図２においては、前記洗濯ばさみを手のひらで握った状態の一例を図示している。図２に示すように、手のひらで握りやすく軽い力で挟持部を開くことができる。
【００１２】  また、図３においては、前記洗濯ばさみの長い方の把持部２１を、ハンガー４１に吊下げた状態の一例を図示している。
【００１３】  なお、図１に図示した、洗濯ばさみの形状は、一例であって、図示した形状に限定されるものではなく、前記（Ａ）、（Ｂ）、（Ｃ）の構成を具備していればよい。
【符号の説明】
【００１４】２１  長い方の把持部
２２  把持部の先端部
２３  挟持部の先端部
３１  短い方の把持部
３２  把持部の先端部
３３  挟持部の先端部
４１  ハンガー
【図１】
2017094021.tif 000003
【図２】
2017094021.tif 000004
【図３】
2017094021.tif 000005
(57)【要約】      （修正有）【課題】身近なコンクリート斜面等でスノーボード技の練習や体感を求め、ボードフラットでは方向性の無い自在滑走、体重移動でレールの傾きでの方向性やターン半径を操縦可能にしたローラーボードを提供する。【解決手段】ボード滑走面の中心付近に自在車輪２とレール付近にレール誘導車輪を備え、それぞれの車輪の高さが異なり、ボードフラットでは自在車輪のみ接地する高さに設けた、レール誘導車輪はレールの傾きに応じ接地する高さに設けた。ボードフラットで方向性の無い自在滑走、体重移動でレールの傾きに応じた方向性やターン半径操縦可能でスノーボード特性技のサイド滑走、谷おろし、ドリフト回転、レールターン等、コンクリート斜面等でスノーボード操作の練習、体感を可能にした。【選択図】図１
2017094031.tif 000002
【特許請求の範囲】
【請求項１】
自在車輪とレール誘導車輪を備えスノーボードの特性である、ボードフラットでの方向自在滑走、体重移動でレールを傾けレール誘導滑走の特性を持たせ、コンクリート斜面等でスノーボードの操作体感できるローラーボード
ボード滑走面の中心付近に自在車輪、左右レール付近にレール誘導車輪を備え、ボードフラットの時はボード中心付近の自在車輪のみ接地する高さを保ち、レールを傾けるとレール付近に在るレール誘導車輪が接地出来る高さにそれぞれを備えたローラーボードである
ボードフラットで方向自在滑走、レールコントロールで進行方向やターン半径を操縦可能な、スノーボード滑走特性をコンクリート斜面等で体感出来るローラーボードである
【発明の詳細な説明】
【発明の詳細な説明】
【発明に属する技術分野】
【０００１】スノーボードは雪斜面の低抵抗を利用、ボードフラットでは方向性なく自在滑走、ボードを体重移動で傾けレールを雪面に食い込ませる操縦で進行方向やターン半径を操る醍醐味ですが
雪面が必要で身近な場所では練習・体感出来ないものでした。
本発明ボードは硬い平らな斜面（コンクリート等）で体重移動のレール操作で自在滑走からレール誘導操作可能で身近な場所でスノーボード操作の練習や体感を可能にした装置。
【背景技術】
【０００２】従来のコンクリート斜面で遊べるローラーボードの代表的な乗り物は
レールの傾きで行き先を操縦出来るスケートボードですが
レールコントロールは出来るもののボードフラットでの自在滑走は無く、スノーボード特性のサイド滑走、谷おろし、ドリフト回転等は不可能でスノーボードとは違う体感の乗り物でした。
前後に在る程度の自在車輪を持つ乗り物も在りますが、体重移動レール傾きでのコントロール感は無くそれもスノーボードとは異なる操縦感です。
【発明が解決しようとする課題】
【０００３】スノーボードの特性はボードフラットでは方向性のない自在滑走、体重移動でレールを傾けると、傾きに応じた方向性やターン半径を操縦できる醍醐味ですが、スキー場等の雪斜面が必要で身近な環境で手軽に練習や体感できないものでした。
【課題を解決するための手段】
【０００４】身近なコンクリート斜面等で体感できるように、ローラーボードで、ボードフラットでは自在滑走を可能にした自在車輪のみで滑走、体重移動でレールを傾けると傾きに応じ方向性やターン半径を操縦できるレール誘導車輪でレール操縦を可能にした装置。
【発明を実施するための形態】
【０００５】本発明は、滑走面中心付近に自在車輪を設け、左右レール付近にレール誘導車輪を設けた。（レール誘導にはスケートボード車輪軸でも可能）（車輪数や取付場所は求める特性で異なる）
中心付近の自在車輪が左右に在るレール誘導車輪より高く
ボードフラットの場合は中心付近の自在車輪のみ接地、レールを傾けるとレール側にあるレール誘導車輪も接地出来る高さに設けた。
ボードフラットでは自在車輪のみ接地で方向性無く自在滑走、レールを傾けるとレール誘導車輪が接地してレール操縦でのターン半径や方向を操縦可能にした。
【発明の効果】
【０００６】スノーボードの特徴である、ボードフラットで自在滑走、体重移動でのレール傾きで方向性やターン半径の操縦をローラーボードで可能になり、スキー場等の雪斜面まで移動することなく、身近なコンクリート斜面等でスノーボード技のサイド滑走、谷降ろし、ドリフイトターン、斜滑降、レールターン、サイドストップ等の練習や体感を可能した。
【図面の簡単な説明】
【図１】  固定車輪でのレール誘導型図面  ボード滑走面中心付近に自在車輪▲２▼を前後に設け、レール付近にレール誘導車輪▲３▼とより外側に▲４▼それぞれをレール回転半径に必要な円弧上に設けた、それぞれの車輪の高さは異なり、ボードフラットでは自在車輪▲２▼のみが接地、レールを傾けると回転半径が大きい円弧の固定車輪▲３▼が接地、よりレールを傾けると回転半径が小さい円弧の固定車輪▲４▼が接地できる高さに備えた。自在車輪のみでのサイド走行時に適度な抵抗を持たせる抵抗板▲７▼とサイド走行からの深いレール踏み込みでのブレーキ板▲８▼も備えた。
【図２】  スケートボード車輪軸でのレール誘導図面  レール誘導にスケートボード軸受けを使い、レールの操作を可能にした例
【符号の説明】▲１▼：  ボード本体
▲２▼：  自在車輪
▲３▼：  固定車輪１
▲４▼：  固定車輪２
▲５▼：  スケートボード軸受け
▲６▼：  スケートボード車輪
▲７▼：  スライド走行抵抗板
▲８▼：  サイドストッパー板
【図１】
2017094031.tif 000003
【図２】
2017094031.tif 000004
(57)【要約】      （修正有）【課題】字や絵を書く時、書きやすく、描きやすいペンを提供する。【解決手段】ペン型のものに、粉状の黒鉛や顔料３を入れ、空圧ポンプ６で、空圧５を上げ、動くしきり４に圧力をかけ、それで粉状の黒鉛や顔料を押し、先端１で、圧力をかけ出す。少しずつ出すために、先端を、筆圧で上げ、しきり２で先端を、粉状の黒鉛や顔料が通るようにし、筆圧がない時は、先端が下がり、筆圧がかかった時だけ出るようにする。【選択図】図１
2017094694.tif 000002
【特許請求の範囲】
【請求項１】
粉状の黒鉛や顔料を少しずつ出して、字や絵を書くペン。
【発明の詳細な説明】
【技術分野】
【０００１】  この発明は、粉状の黒鉛や顔料を出すペンに関するものである。
【背景技術】
【０００２】  従来、粉状の黒鉛や顔料をペンで出すものはなかった。
【先行技術文献】
【特許文献】
【０００３】
【特許文献１】
【発明の概要】
【発明が解決しようとする課題】
【０００４】  これは、次のような欠点があった。
（イ）鉛筆は、先が丸くなり、芯がなくなり、削らなければいけなかった。
（ロ）シャープペンシルは、芯が折れたり、芯の長さの調節がめんどうだった。
（ハ】木炭、パステル、クレヨンは、細く書けず、また、持つのがむずかしかった。
本発明は、以上のような欠点をなくすためになされたものである。
【課題を解決するための手段】
【０００５】  ペン型のものに、粉状の黒鉛や顔料を入れ、圧力をかけて、少しずつ出す仕組みを設ける。
本発明は、以上の構成よりなるペンである。
【発明の効果】
【０００６】  （イ）黒鉛や顔料を、都合よく扱えるので、字や絵がうまく書ける。
（ロ）粉状の黒鉛や顔料を使うので、消しゴムで、よく消せる。
【図面の簡単な説明】
【０００７】
【図１】  本発明の断面図である。
【発明を実施するための形態】
【０００８】  以下、本発明を実施するための形態について説明する。
ペン型のものに、粉状の黒鉛や顔料（３）を入れ、空圧ポンプ（６）で、空圧（５）を上げ、動くしきり（４）に圧力をかけ、それで粉状の黒鉛や顔料（３）を押し、先端（１）で、圧力をかけ出す。
少しずつ出すために、先端（１）を、筆圧で上げ、しきり（２）で先端（１）を、粉状の黒鉛や顔料（３）が通るようにし、筆圧がない時は、先端（１）が下がり、筆圧がかかった時だけ出るようにする。
先端（１）から、粉状の黒鉛や顔料（３）が圧力がかかった時だけ出て、圧力がない時は出ない、先端（１）の太さにする。
もし、先端（１）から、黒鉛、顔料が抜け、空気が入っても、空気穴（７）から出て、粉状の黒鉛や顔料（３）が先端（１）に集まるようにする。
先端（１）で、黒鉛、顔料に圧力がかかり、もれないように、先端の先をやわらかくゴムにし、斜めに書いても、紙に先端（１）の穴が密着するようにする。
これで、書く時、濃く書く時は、空圧を上げればよい。
濃く書く時は、空圧が大きく、筆圧が大きく、薄く書く時は、空圧が小さく、筆圧が小さく、書きやすい。
書く時、必然的に、筒状の先端（１）のふちで、出された黒鉛、顔料を、紙にこすり、定着する。
書かず、点々で、黒鉛、顔料を置き、こすれば、色が広がる。
【符号の説明】
【０００９】    １  先端
２  しきり
３  粉状の黒鉛や顔料
４  動くしきり
５  空圧
６  空圧ポンプ
７  空気穴
【図１】
2017094694.tif 000003
(57)【要約】      （修正有）【課題】パレットで絵具を混ぜるとき片手で混ぜられること。絵具を混ぜたあと余分な絵具をパレットでそぎ落せること。筆を使ったあとパレットの上に置くことができるようにすること。【解決手段】パレット１の下にゴム２を設け、内側の枠にＶ字形の切り込み３を設ける、外側の枠に筆の枕となる凹み４を設けたパレットとした。【選択図】図１
2017094700.tif 000002
【特許請求の範囲】
【請求項１】
パレット（１）の下にゴム（２）を設け、内側の枠にＶ字形の切り込み（３）を設ける、外側の枠に筆の枕となる凹み（４）を設けパレット
【発明の詳細な説明】
【技術分野】
【０００１】本発明はパレットを使いやすくするため、パレットの下にゴムを設けて揺れを防止する、絵具をかき混ぜたあと、余分な絵具を、そぎ落すためのＶ字形の切り込みを設ける、筆を使ったあと外枠に枕となる凹みを設けたパレットに関するもである。
【背景技術】
【０００２】従来、パレットで絵具を混ぜる時、左手でパレットを押えて右手で筆を持って混ぜいた。混ぜたあと筆に余分な絵具をパレットの枠にあててそぎ落していた筆を使ったあとパレットの外枠に置くと転がって机や絵用紙を汚すことがあった。
【先行技術文献】
【０００３】
【特許文献】
【発明の概要】
【発明が解決しようとする課題】
【０００４】これは次のような欠点があった
（イ）パレットで絵具を混ぜようとするとパレットと筆が一体となって片手で混ぜられなかった
（ロ）絵具を混ぜたあと余分な絵具をパレットの外枠でそぎ落していて机や画用紙を汚すことがあった
（ニ）筆を使ったあとパレットの上に置くと転って落ちて机や画用紙を汚すことがあった
本発明は、以上のような欠点なくすためになされたものである。
【課題を解決するための手段】
【０００５】パレット（１）の下にゴム（２）を設け、パレット（１）の内側の枠にＶ字形の切込み（３）を設ける外枠に筆を置く凹み（４）を設けたパレットである。本発明は以上の構成によるパレットである
【発明の効果】
【０００６】（イ）パレットで絵具をかき混ぜるとき片手でもできる
（ロ）筆に付いた余分な絵具をそぎ落とすときＶ字形の切り込みでやるので机や画用紙を汚すことがない
（ニ）筆を使ったあと、筆を置くための凹に置くので筆が転がることがない
【図面の簡単な説明】
【０００７】
【図１】本発明の斜視図である
【図２】本発明の断面図である
【発明を実施するための形態】
【０００８】以下、発明を実施するための形態について説明する。パレット（１）の下にゴム（２）を設け、内側の枠にＶ字形の切り込み（３）を設ける、外側の枠に筆の枕となる凹み（４）を設ける、本発明は以上のような構造である。
本発明を使用するときは、パレット（１）に絵具を入れて片手で混ぜて、筆に付いた余分な絵具を内側にあるＶ字形の切り込みで絵具をそぎ落とす、筆を使ったあとは、外枠に設けた枕となる凹に筆を置けばよい、パレットで絵具をかき混ぜるときは、左手でパレットを押す必要がない、絵具をそぎ落すとき、机や画用紙を汚すことがなくなった
パレットの外枠に筆の枕となる凹を設けてあるので筆が転って落ちて机や画用紙を汚すことがなくなった。
【符号の説明】
【０００９】１  パレット本体
２  ゴム
３  Ｖ字形の切り込み
４  筆の枕の凹み
【図１】
2017094700.tif 000003
【図２】
2017094700.tif 000004
(57)【要約】【課題】私たちは、毛抜きを用いて顔面、顎下、腋下、上肢、下肢等の除毛をすることがあるが、通常、毛抜きは親指と人差し指で挟み込む方法でしか使用できない。このため、腋下部等の鏡を使用しなければ視認することが困難な場所の除毛を行う際には、困難を伴う場合がある。そこで、毛抜きを使用することが困難であると考えられる場合に、どのようにすれば私たちの関節や筋肉に大きな負担をかけずに毛抜きを使用することが可能となるかを課題とした。【解決手段】通常の毛抜きを挿入することで、毛抜きを指二本で「つまむ」動作ではなく、指三本以上を用いた「つかむ」に近い動作で使用することが可能な毛抜きアダプターを提供することで本課題を解決する。【選択図】なし【特許請求の範囲】
【請求項１】
通常の毛抜きを挿入することで、従来の指二本を用いた「つまむ」動作ではなく、指三本以上を用いた「つかむ」に近い動作で毛抜きを使用することを可能とする毛抜きアダプター。
【発明の詳細な説明】
【技術分野】
【０００１】
本考案は、通常の毛抜きを挿入することで、従来の指二本で「つまむ」動作ではなく、指三本以上を用いた「つかむ」に近い動作で使用することを可能とする毛抜きアダプターに関するものである。
【先行技術文献】
【特許文献】
【０００２】
【特許文献１】特開２００７−０８２９２３
【特許文献２】特開２００３−０２４１２９
【特許文献３】特開２００２−３５５１１５
【発明の概要】
【発明が解決しようとする課題】
【０００３】
私たちは、毛抜きを用いて顔面、顎下、腋下、上肢、下肢等の除毛をすることがあるが、通常、毛抜きは親指と人差し指で挟み込む方法でしか使用できない。このため、腋下部等の鏡を使用しなければ視認することが困難な場所の除毛を行う際には、困難を伴う場合がある。そこで、毛抜きを使用することが困難であると考えられる場合に、どのようにすれば私たちの関節や筋肉に大きな負担をかけずに毛抜きを使用することが可能となるかを課題とした。
【課題を解決するための手段】
【０００４】
通常の毛抜きを挿入することで、毛抜きを指二本で「つまむ」動作ではなく、指三本以上を用いた「つかむ」に近い動作で使用することが可能な毛抜きアダプターを提供することで本課題を解決する。
【発明の効果】
【０００５】
通常の毛抜きを挿入することで、その毛抜きを従来の指二本を用いた「つまむ」動作ではなく、指三本以上を用いた「つかむ」に近い動作で使用することができるようになるため、毛抜きを使用することが困難と考えられる場所の除毛の際の関節や筋肉の負担を軽減する。
【産業上の利用可能性】
【０００６】
魚を料理する際に使用する骨抜きに利用可能である。
(57)【要約】      （修正有）【課題】作業中に熊手の爪に物が突き刺さって、その度に作業を中断して熊手の爪を掃除してから、また作業を続けるという非能率な状況を改善する。【解決手段】熊手本体１で、柄５の掻く縦方向に対して、横方向へ斜め状に斜め爪２を複数並列させた。補強部３は熊手本体１が、たわむのを補強した。熊手本体１の左右の重心に柄取り付け部４を設け柄５をさし込んだ。【選択図】図１
2017051174.tif 000002
【特許請求の範囲】
【請求項１】
熊手本体（１）で、柄（５）の掻く縦方向に対して、横方向へ斜め状に、斜め爪（２）を複数設けた斜め爪の熊手。
【発明の詳細な説明】
【発明の詳細な説明】
【技術の分野】
【０００１】  本発明は、斜め爪の熊手に関する。
【背影の技術】
【０００２】  これまでも竹製の熊手やら金属製の熊手やらプラスチック製の熊手やら形状も色々とあって草や落葉など、田んぼでは白菜の葉っぱなどを掻き寄せたりするのに使われていた。
【０００３】先行技術文献１  特願平１１−１７０３２９  先行技術文献２  特願２００３−３８１８５７  先行技術文献３  特願２００９−１３６１９４
【発明の概要】
【発明が解決しようとする課題】
【０００４】  従来技術の問題点は、作業中に熊手の爪に、掻いた物が突き刺さって、その度に作業を中断して、熊手の爪を掃除してから、また作業を続けるという非能率な状況にあった。
【課題を解決する為の手段】
図１の本発明の熊手本体（１）で、柄（５）の掻く縦方向に対して、横方向へ斜め状に斜め爪（２）を複数並列させた。斜め爪（２）が斜めである為、斜め爪（２）に蔭部（６）ができる。例えば白菜の葉っぱを掻き寄せる時、葉っぱが斜め爪（２）に突き刺さっても蔭部（６）が隙間になっているから固着せずにすぐに斜め爪（２）からはずれる。もしも外れ難い場合でも斜め爪（２）の向きと反対方向へスライドすれば斜め爪（２）が傾斜しているから容易にスライドでき刺さっているものを容易に外せて作業が円滑に進む。
補強部（３）は熊手本体（１）が、たわむのを補強した。熊手本体（１）の左右の重心に柄取り付け部（４）を設け柄（５）をさし込んで成る。
【発明の効果】
熊手本体（１）の斜め爪（２）を斜めとしたから蔭部（６）の隙間がある為に物が刺さり難く刺さっても斜め爪（２）が傾斜しているから斜め爪（２）の向きと逆方向へ容易にスライドできて外せて作業がしやすく能率が上る。
【実施例】
【０００５】実施例図３では、図１の斜め爪（２）の向きを図１とは逆方向にして、斜め爪（２Ａ）とした。
【図面の簡単な説明】
【０００６】図１は、本発明の斜視図である。
図２は、本発明の正面図である。
図３は、本発明の実施例の斜視図である。
【産業上の利用の可能性】
【０００７】
【符号の説明】
【０００８】（１）は、熊手本体。
（２）、（２Ａ）は、斜め爪。
（３）は、補強部。
（４）は、柄取り付け部
（５）は、柄。
（６）は、蔭部。
【図１】
2017051174.tif 000003
【図２】
2017051174.tif 000004
【図３】
2017051174.tif 000005
(57)【要約】      （修正有）【課題】特別な効能を有するミネラル含有水溶液の提供。【解決手段】水溶液１Ｌ中に、ナトリウムを９０ｇ、カリウムを１８００ｍｇ、硫黄を１３００ｍｇ、ケイ素を２２ｍｇ含むミネラル含有水溶液。更に水溶液１Ｌ中にセレンを２５ｍｇ以下、亜鉛を２ｍｇ以下、銅を２ｍｇ以下、マンガンを１ｍｇ以下、マグネシウムを１ｍｇ以下含むことが好ましいミネラル含有水溶液。【効果】ミネラル含有水溶液を身体へ塗布することで、かゆみ、痛みおよびこりを改善、また、エステ効果（痩身効果）を得る。このミネラル含有水溶液を希釈して飲用として用いることで、様々な病気への対応が可能。【選択図】なし【特許請求の範囲】
【請求項１】
水溶液１リットル中に、ナトリウムを９０グラム、カリウムを１８００ミリグラム、硫黄を１３００ミリグラム、ケイ素を２２ミリグラム含むことを特徴とするミネラル含有水溶液。
【請求項２】
水溶液１リットル中に、さらに、セレンを２５ミリグラム以下、亜鉛を２ミリグラム以下、銅を２ミリグラム以下、鉄を２ミリグラム以下、カルシウムを２ミリグラム以下、ヨウ素を２ミリグラム以下、マンガンを１ミリグラム以下、マグネシウムを１ミリグラム以下含むことを特徴とする請求項１記載のミネラル含有水溶液。
【請求項３】
さらに、水素を含むことを特徴とする請求項１または２記載のミネラル含有水溶液。
【発明の詳細な説明】
【技術分野】
【０００１】
本発明は、特定のミネラルを含有するミネラル含有水溶液に関する。
【背景技術】
【０００２】
従来、７０種類の元素を含む健康維持に好適な水が提案されている（たとえば、特許文献１参照）。特許文献１に記載の水は、７０種類の元素が微量ではあるが適量含まれているため、この水を飲料として使用することで、あるいは、この水を食事のために使用することで、使用者は、不足しがちなミネラル成分を補うことが可能になり、その結果、健康を維持することが可能になる。
【先行技術文献】
【特許文献】
【０００３】
【特許文献１】特開平３−２２４６９０号公報
【発明の概要】
【発明が解決しようとする課題】
【０００４】
しかしながら、特許文献１に記載の水は、特別な効能を有するわけではない。そこで、本発明の課題は、特別な効能を有するミネラル含有水溶液を提供することにある。
【課題を解決するための手段】
【０００５】
上記の課題を解決するため、本発明のミネラル含有水溶液は、水溶液１リットル中に、ナトリウムを９０グラム、カリウムを１８００ミリグラム、硫黄を１３００ミリグラム、ケイ素を２２ミリグラム含むことを特徴とする。
【０００６】
本発明のミネラル含有水溶液は、上記のミネラルを上記の割合で含んでいるため、本発明のミネラル含有水溶液を身体へ塗布することで、かゆみ、痛みおよびこりを改善することが可能になり、また、エステ効果（痩身効果）を得ることが可能になる。また、本発明のミネラル含有水溶液を希釈して飲用として用いることで、様々な病気への対応が可能になる。さらに、本発明のミネラル含有水溶液を農業用として使用することで、農作物の病害虫対策が可能になるとともに、農作物の育成を促進し、かつ、栄養分やうまみを増加させることが可能になる。さらにまた、本発明のミネラル含有水溶液を水産業用や畜産用として使用することで、養殖魚や家畜の病気対策が可能となって、養殖魚や家畜に使用される医薬品を減量することが可能になるとともに、養殖魚や家畜の育成を促進することが可能になる。
【０００７】
また、本発明のミネラル含有水溶液をパーマ液やヘアーコンディショナー等の美容の分野で使用することが可能である。さらに、本発明のミネラル含有水溶液を健康食品へ添加して使用したり、そのまま健康食品として使用したりすることも可能である。さらにまた、本発明のミネラル含有水溶液を空中にミスト散布することでマイナスイオン効果を得ることができる。また、本発明のミネラル含有水溶液を入浴剤として使用したり、食器洗いとして使用したり、酸化した食品の還元剤として使用したり、食品添加物として使用したり、農薬の毒性を軽減させるために使用したり、調理の下処理や食品の保存に使用したりすることも可能である。
【０００８】
本発明において、ミネラル含有水溶液は、水溶液１リットル中に、さらに、セレンを２５ミリグラム以下、亜鉛を２ミリグラム以下、銅を２ミリグラム以下、鉄を２ミリグラム以下、カルシウムを２ミリグラム以下、ヨウ素を２ミリグラム以下、マンガンを１ミリグラム以下、マグネシウムを１ミリグラム以下含むことが好ましい。本発明において、ミネラル含有水溶液は、さらに、水素を含んでいても良い。
【発明の効果】
【０００９】
以上のように、本発明のミネラル含有水溶液は、上記のミネラルを上記の割合で含んでいるため、特別な効能を有する。
【発明を実施するための形態】
【００１０】
本発明の実施の形態にかかるミネラル含有水溶液は、インド産やパキスタン産等の古生代堆積物である黒赤色・灰色岩塩を用いて製造される。この黒赤色・灰色岩塩は、堆積した古代植物に海水および火山灰等がかかったものが地殻変動で圧縮されてできあがった天然物である。また、本形態のミネラル含有水溶液は、以下の方法で製造される。すなわち、まず、黒赤色・灰色岩塩を水の中に入れ、１１０℃で１０分以上煮て、黒赤色・灰色岩塩を水に溶かすとともに殺菌する。その後、溶けきらなかったミネラル成分や不純物を自然沈殿させる。溶けきらなかったミネラル成分や不純物を自然沈殿させることで得られた上澄み液が本形態のミネラル含有水溶液となる。
【００１１】
本形態のミネラル含有水溶液は、以下の表１に示す成分を含有している。なお、表１に示される成分は、誘導結合プラズマ発光分析法およびイオンクロマトグラフ法によって算出されたものである。
【００１２】
【表１】
2017051140.tif 000002
【００１３】
また、財団法人日本食品分析センターで本形態のミネラル含有水溶液を分析した分析結
果を表２に示す。
【００１４】
【表２】
2017051140.tif 000003
【００１５】
本形態のミネラル含有水溶液には、株式会社ハサルの濃縮水素イオン液（商品名「ハサル液」）を用途に応じて添加しても良い。この場合のハサル液の添加量は、６．２５ｐｐｍ以上となる。また、この場合には、ミネラル含有水溶液にハサル液を添加した後に、微振動を与えながら、３０分以上、撹拌する。また、本形態のミネラル含有水溶液にセラミックス製のボールを入れても良い。具体的には、ミネラル含有水溶液１００ｍｌ当たりに、直径１ｍｍの１個のボールを入れても良い。この場合には、セラミックス製のボールの作用で、ミネラル含有水溶液に含まれるミネラルのクラスタを細分化することが可能になる。
(57)【要約】【課題】家庭菜園等の小規模野菜作りにおいて、地面を乾燥させないように、潅水が必要な時期（特に人参等の種蒔きから発芽までの時期）に、潅水しない（時間がない・忘れた）ことによる支障（発芽しなかった等）を解消するため、潅水する時間を取らなくても済むよう、自然点滴潅水機能を有した器具を提供する。【解決手段】貯水タンク（１）を潅水が必要な地面上の空間に設置台（５）を使って設置し、貯水タンク（１）上部に設けた複数の穴（２）から毛管現象のある吸水体（３）を空間に垂らし、その吸水体（３）の毛管現象を利用し、貯水タンク（１）内にある水（４）を自然点滴潅水することを特徴とする。【選択図】図１
2017051139.tif 000002
【特許請求の範囲】
【請求項１】
貯水タンク（１）の上部に複数の穴（２）を設け、その穴（２）から毛管現象のある吸水体（３）を空間に垂らした自然点滴潅水器具。
【発明の詳細な説明】
【技術分野】
【０００１】
本発明は、野菜作り潅水作業を簡素化するための自然点滴潅水する器具に関するものである。
【背景技術】
【０００２】
野菜作りでは、地面を乾燥させないよう潅水が必要な時期があり、規模の大きい農業では、自動潅水装置が設置されていて、自動的に潅水出来るが、休日を利用した家庭菜園のような小規模な野菜作りでは、自動潅水装置もなく自力での潅水方法となるが、定期的に潅水することは時間的な制約があり、困難な状況であった。
【０００３】
なお、鉢植えを対象とした植物への簡易な水やりの手間を省くため、これまでにも多くの考案がなされてきた。それらの中でも毛管現象を利用して貯水器から培養土へ供給する方法は簡便で安価な方法である。たとえば以下のようなものがある。
【０００４】
特開２０１４−１２１３０５は毛管現象を利用し潅水するものであるが、吸水体の一端は栽培土と接触して使用される例である。
【先行技術文献】
【特許文献】
【０００５】
【特許文献１】特開２０１４−１２１３０５号公報特開平０５−２１９８４５号公報特開平０５−２８４８６３号公報特開平０６−３０３８５８号公報特開平０９−０５６２７４号公報実用新案登録第３１２３４４２号公報実用新案登録第３００３４０７号公報実用新案登録第３０６５６８８号公報
【発明の概要】
【発明が解決しようとする課題】
【０００６】
野菜作りでは、地面を乾燥させないよう潅水が必要な時期がある。例えば人参の種蒔きから発芽までは、地面を乾燥させないことが重要であり、規模の大きい農業では、自動潅水装置が設置されていて、自動的に潅水出来るが、休日を利用した家庭菜園のような小規模な野菜作りでは、自動潅水装置もなく、自力での潅水となるが、定期的に潅水することは時間的な制約等で困難なことが多く、地面を乾燥させ人参の発芽に支障をきたすことがある。
【０００７】
なお、鉢植え等の植物を対象とした毛管現象を利用した簡易潅水装置があるが、これらは個々の植物を対象としたものであり、畝状の人参の種蒔きから発芽対応等には不十分な点がある。
【０００８】
そのひとつは、簡単に潅水装置が設置・撤去できない。畝状に潅水装置を並べることとなり場所を取る。
【０００９】
次に、吸水体を地面等に接触させるため、潅水状況が簡単に目視で確認できない。
【００１０】
次に、吸水体を地面等に接触させる潅水では、種蒔きした種の発芽への影響を考慮すると任意の場所に潅水ができない。
【００１１】
そこで本発明は、上記の事情に鑑み、簡単で鉢植え等の植物を対象とした毛管現象を利用した潅水装置の欠点を克服し、畝状に蒔いた種が発芽するまでの期間、地面を乾燥させることのないように潅水する器具を提供することを課題とする。
【課題を解決するための手段】
【００１２】
本発明は、筒状の貯水タンク（１）上部の複数の穴（２）から毛管現象の吸水体（３）を空間に垂らし、その吸水体（３）の毛管現象を利用することにより、貯水タンク（１）の水（４）を自然点滴潅水させる器具である。
【発明の効果】
【００１３】
潅水器具本体が貯水タンク（１）となっており、種蒔きした地面の空間に設置するため、場所をとらない。
【００１４】
毛管現象のある吸水体（３）を空間に垂らし、その吸水体（３）から自然点滴潅水させるため、潅水状況が簡単に目視で確認できる。
【００１５】
潅水器具本体を種蒔きした地面の空間に設置するため、任意の場所に自然点滴潅水することができる。
【００１６】
最後に、本器具を使用することにより、簡単に設置でき、野菜の地面乾燥による生育支障防止が図られる。また、潅水する時間を取る必要がなくなるという利点がある。
【図面の簡単な説明】
【００１７】
【図１】図１は本発明の斜視図である。
【図２】図２は本発明の断面図である。
【図３】図３は本発明に使用する挿入具の斜視図である。
【発明を実施するための形態】
【００１８】
以下、本発明を実施するための形態について説明する。
直径約１５Ｃｍ、長さ２ｍの筒状の貯水タンク（１）の上部に直径約１Ｃｍの穴（２）を約１０Ｃｍ間隔で複数設ける。なお、貯水タンクの形状は、家庭菜園（一坪農園）の畝の長さ及び一週間分の潅水量から決めたものである。また、穴（２）の径が大きくなると水の気化が増加し、貯水量の減少になるから注意する。
【００１９】
穴（２）に毛管現象のある吸水体（３）の一端を挿入し、もう一端を地面から約２０Ｃｍの高さの空間に垂らす。吸水体が穴に挿入し辛い時は、挿入具（７）を利用し挿入する。
【００２０】
貯水タンク（１）にある水（４）が吸水体（３）の挿入端から垂らした端に向かって毛管現象により流れ、その後、垂らした端から水滴となって地面に落ち潅水させる。本発明は以上のような構造である。
【００２１】
潅水が必要な時は、本器具を設置台（５）に設置し、貯水タンク（１）に注水口（６）から水を注入しておけば自然点滴潅水をしてくれる。潅水量は、吸水体（３）の材質・取り付け本数によって調整できる。
【００２２】
実施例では、吸水体として、木綿のタオル地約１Ｃｍ幅を２０Ｃｍ間隔で本器具に取り付け、人参の種蒔きから１週間潅水を実施したところ、地面を乾燥させることなく、発芽率は、ほぼ１００％であった。また、貯水タンク内の残水は少々であった。
【００２３】
なお、種蒔きから発芽までの潅水は、約１週間地面を乾かさないことであり、高度な技術による潅水量調整を必要とするものではない。
【符号の説明】
【００２４】
１    貯水タンク
２    穴
３    吸水体
４    水
５    設置台
６    注水口
７    吸水体挿入具
【図１】
2017051139.tif 000003
【図２】
2017051139.tif 000004
【図３】
2017051139.tif 000005
(57)【要約】      （修正有）【課題】汚泥など固形物のまきあげ効果の高い撹拌機の提供。【解決手段】撹拌機械の駆動源６に上下駆動のシリンダーを使用し、先端に付属する円盤３の上下により、乱流を発生させ、撹拌を行う。中空軸２に数個の散気ノズル４を設け、固形物の浮揚と同時に空気と接触させることで、汚泥の分解を促進させ、いっそうの乱流効果をもたせる。既設活性汚泥槽の汚泥が滞留しやすい場所へピンポイントで設置することで、余剰汚泥の削減が可能である。【選択図】図１
2017051940.tif 000002
【特許請求の範囲】
【請求項１】
撹拌機械の駆動源に上下駆動のシリンダーを使用し先端に付属する円盤の上下により乱流を発生させ撹拌を行う
【請求項２】
中空軸に数個の散気ノズルを設ける、固形物の浮揚と同時に空気と接触させる事で汚泥の分解を促進する
【請求項３】
中空軸先端に取付けた円盤の上下により発生する乱流効果で撹拌を促進する  又円盤に数個の穴を設ける事で上下の際に尚一層の乱流効果が期待出来る
【請求項４】
既設活性汚泥槽の汚泥が滞留しやすい場所へピンポイントで設置し余剰汚泥の削減が可能
【発明の詳細な説明】
【技術分野】
【発明の概要】
【０００１】上下用シリンダーと先端に円盤を付属した中空撹拌軸で構成し円盤の上下運動により液体の撹拌を行う装置である
【０００２】駆動配管の途中にスピードコントロールバルブなどを用い１回あたりの上下時間やストロークを任意に選択可能とする
【０００３】中空軸シリンダーに散気の為のノズル又は穴を設ける
【発明が解決しようとする課題】
【０００４】設計上の撹拌効果が期待出来なくなった場合でも  多大な改造の必要が無く容易に能力の追加が可能な設計とする【０００５】活性汚泥槽などの汚泥量削減の為  汚泥だまりに短時間で設置可能
又付属のエアレーションにより汚泥の分解を促進する事が出来る【０００６】電気系統を使用しないので危険物工場や屋外設置など場所を問わない【０００７】駆動用配管のみ必要  従って電気配線などの工事費より廉価に出来る【０００８】垂直動作の為  軸の強度が回転軸に比べ小さくて済むのでコストダウンが可能
【発明の効果】
【０００９】時間当たりの上下作動回数を変える事で簡単に能力アップが可能である  従って最小限の設計が可能となり通常の撹拌機のようなオーバースペックを必要としない【００１０】駆動源の確保は配管のみで行えるので  電気工事のような費用を必要としない  又危険物工場や屋外或いは操作室迄の距離が遠くても電気工事と比較して  それほど多くの工事費用が不要【００１１】中空軸先端に取付けた円盤が上下する事で沈殿物をまきあげ撹拌効果を高める  又円盤の穴を通過した液体が乱流効果を高める事でより一層の撹拌効果が考えられる
同時に乱流効果による熱伝導効果の高まりによって加熱時間の短縮が見込める【００１２】まきあげた汚泥に対し  軸に付属する散気管からエアーを送る事で汚泥と空気がほぼ瞬時に接触し分解を早める  従って排水処理装置から発生する汚泥量の削減に効果が出る
【図面の簡単な説明】
【図１】上下駆動のシリンダーと中空の撹拌軸に付属する円盤で構成され駆動用配管で運転操作を行う
【発明を実施する為の形態】
【００１３】通常の撹拌機と同等の使用方法で有るが  既設の設備に簡単に増設が可能
【符号の説明】
【００１４】（１）シリンダー
（２）中空軸
（３）固形物まきあげ用円板
（４）散気ノズル
（５）乱流促進用穴
（６）上下駆動源（エアー又は油圧）
（７）シリンダー架台
【図１】
2017051940.tif 000003
(57)【要約】      （修正有）【課題】様々な形状の廃熱を有する設備に、同一形状の熱電発電ユニットを隙間なく接合させることを提供する。【解決手段】様々な形状の設備に平らな形状の熱電発電ユニットを接合する場合、これらの間に隙間が生じ、設備の廃熱が効率的に熱電発電ユニットに伝わらない。この問題を解決するために、自由に変形可能で、熱伝導性の良い、金属線９の集合体や金属粉を用い、異形状の熱源７と熱電発電ユニット１を、熱伝導性を低下させることなく接合させる。【選択図】図３
2017051078.tif 000002
【特許請求の範囲】
【請求項１】
廃熱を有する設備の廃熱を利用して発電を行う発電ユニットを、廃熱を有する設備と接合する方法において、金属線の集合体を用いて接合する方法。
【請求項２】
請求項１において金属線間の隙間を低融点金属で充填する方法
【請求項３】
請求項１において低融点金属をあらかじめ被覆した金属線を用い成形後加熱して結合させる方法
【請求項４】
請求項２において金属線の代わりに金属粉を利用した物。
【請求項５】
請求項３において金属線の代わりに金属粉を利用した物。
【発明の詳細な説明】
【技術分野】
【０００１】  本発明は焼却炉などの廃熱を利用して発電する熱電発電ユニットに関する。
【背景技術】
【０００２】熱電発電モジュールはゼーベック効果を利用して、一方を加熱し、もう一方を冷却すると温度差に比例した発電が可能な部品で、焼却炉などの廃熱を利用した発電に利用することが提案されている【０００３】焼却炉や工場設備の廃熱を利用する場合、通常図１のように高温の熱源に接触するブロックと低温液体を導入するブロックとその間に、ゼーベック効果を利用した発電モジュールが配置される構造からなる発電ユニットと呼ばれる形態にして、実際に発電に利用することが試みられている【０００４】  熱源の形状は平な形状もあるが、円筒形状など様々である。  熱源と発電ユニットの間に隙間があると、廃熱を効率的に発電モジュールに伝えることができない。そのため発電ユニットの形状も廃熱設備の形状に合わせて設計製作されている。
【発明の開示】
【発明が解決しようとする課題】
【０００５】  発電ユニットを熱源の形状に合わせて設計製作しているためにユニットの標準化が不可能で、これによりコストが高い問題があった。
【課題を解決するための手段】
【０００６】本方法は熱源とユニットを、金属線や金属粉で接合させる。金属線や金属粉の集合体は自由に形状を変更することが可能であり、この自由に形状を変更させた金属や金属粉の集合体で、異形状の熱源と一般的に平らな形状の発電ユニットの間を接合させる。【０００７】金属線間の隙間は熱伝導率の低下につながるので、金属線間の隙間を半田などの低融点金属で充填させてもよい。【０００８】またあらかじめ金属線を低融点金属で被覆しておき、成形後熱を加えて低融点金属を溶融させ金属線同士を接合させても良い【０００９】金属線の代わりに金属粉を用いても良い。
【発明の効果】
【００１０】本発明によればユニット本体部は同一形状でも、自由に形状が変形可能な金属線や金属粉の集合体により、様々な形状の熱源の熱を効率よく発電ユニットに伝えることができる。これにより熱源に合わせた部品加工が不要になりユニットの標準化が可能になり、コスト低減および製作工期短縮が可能になる。
【発明を実施するための最良の形態】以下、本発明を実施するための最良の形態について説明する。【００１１】図１が発電ユニットの基本的な構造である。図２は発電ユニットの断面図である【００１２】図３に示す、形状変更が可能な薄い銅などの金属板８で、一方を発電ユニット１の平らな形状にして、もう一方を熱源７の形に成形する。次に内部に銅などの金属線９を充填させる。これを熱源と発電ユニットの間に配置させ熱源と発電ユニットを接合させる。【００１３】金属板８の枠の中に金属線９を充填させたあと発電ユニット１と熱源８の間に挟み込み、熱源と発電ユニットの形状に成形しても良い。変形可能な金属板の枠の中で金属線は自由に移動可能であるため熱源の形状に変化可能である。【００１４】Ｒ８００ｍｍの形状の廃熱ダクトの熱を利用した廃熱発電を試みた。発電ユニットは３００×１５０×厚さ３０ｍｍの大きさである。ダクトと発電ユニットの間に厚さ０．５ｍｍの銅板で３００×１５０×１０ｍｍの枠を作り、その中に太さ１ｍｍの導線を隙間なく充填した。これをダクトとユニットの間に設置しダクトとユニットの形状に変形させ、その後溶融した半田を流し込み金属線を固定した。
【図面の簡単な説明】
【０００１５】
【図１】一般的な熱電発電ユニットの説明図である。
【図２】図１の断面図である。
【図３】本発明により発電ユニットを熱源に効率よく接合させる方法の説明図、金属線の状態が分かりやすいように金属線は約１／３程度充填した状態の図である。
【符号の説明】１  熱電発電ユニット
２  熱電発電モジュール
３  受熱ブロック
４  冷却ブロック
５  冷却水用パイプ
６  冷却水
７  熱源（廃熱ダクト）
８  金属板
９  金属線
【図１】
2017051078.tif 000003
【図２】
2017051078.tif 000004
【図３】
2017051078.tif 000005